(57)【要約】【課題】設定項目の設定値の変更に要する操作手数が少ない表示装置を提供すること。【解決手段】操作部１２が備える上下ボタンに対する操作入力に応じて，当該表示装置Ｘの設定に関する設定項目の設定値を変更させる設定値変更度合いを演算し，前記操作部１２が備える左右ボタンに対する操作入力が検知されるごとに，前記変更度合いに応じて前記設定項目の設定値を修正し，調整用画面Ｃのように，設定値変更度合いＫ１４と設定値Ｋ１３の両方を同時に１つの画面に表示し，前記操作部１２が備えるエンターキーが押下されることによって，前記設定項目の設定値を，調整用画面Ｃに表示された設定値Ｋ１３に変更する画像形成装置。【選択図】図４
2007248577.tif 000002
【特許請求の範囲】
【請求項１】
当該表示装置の設定に関する設定項目の設定値を表示部に表示させつつ，当該表示装置を操作する操作入力手段を通じた操作入力に応じて前記設定項目の設定値を変更する機能を備えた表示装置であって，
前記操作入力手段が備える所定の第１の操作部に対する操作入力に応じて，前記設定項目の設定値を変更させる度合いを演算し表示する設定値変更度合い表示手段と，
前記操作入力手段が備える所定の第２の操作部に対する操作入力が検知されるごとに，前記設定値変更度合い表示手段により表示された前記変更度合いに応じて前記設定項目の設定値を修正し，修正された設定値を表示する仮設定値表示手段と，
前記設定値変更度合い表示手段により表示される設定値の変更度合いと，前記仮設定値表示手段により表示される修正された設定値の両方を同時に１つの画面に表示させる集中表示手段と，
前記設定項目の設定値を，前記集中表示手段により表示された設定値に変更する設定値更新手段と，
を具備してなることを特徴とする表示装置。
【請求項２】
前記第１の操作部及び前記第２の操作部のうち，一方がカーソルを左右方向に移動させるための操作部であり，他方がカーソルを上下方向に移動させるための操作部であって，
前記設定値変更度合い表示手段が，前記第１の操作部によるカーソル移動方向に対応する方向に伸びるバーグラフによって，前記変更度合いを表す情報を前記表示部に表示させ，
前記仮設定値表示手段が，前記第２の操作部によるカーソル移動方向に対応する方向に伸びるバーグラフによって，前記仮設定値を表す情報を前記表示部に表示させてなる請求項１に記載の表示装置。
【請求項３】
複数の前記設定項目を前記表示部に一覧表示させる設定項目一覧表示手段と，
前記操作入力手段を通じた操作入力に応じて，前記設定項目一覧表示手段により前記表示部に一覧表示された複数の前記設定項目の中から１つの特定設定項目を選択する設定項目選択手段と，
前記表示部が前記集中表示手段によって前記特定設定項目に関する情報のみが表示される状態となる特定項目設定画面へ移行させる特定項目設定画面移行制御手段と，
を具備してなる請求項１又は２のいずれかに記載の表示装置。
【請求項４】
前記設定項目一覧表示手段が，複数の前記設定項目を各々異なる番号とともに前記表示部に一覧表示させ，
前記設定項目選択手段が，前記操作入力手段が備える番号入力部に対して操作された番号に対応する前記設定項目を前記特定設定項目として選択してなる請求項３に記載の表示装置。
【発明の詳細な説明】
【技術分野】
【０００１】
本発明は，モニタなどの表示装置に関し，特に，該表示装置の明るさ，音量などといった設定値の変更に関するものである。
【背景技術】
【０００２】
一般に，特許文献１に記載のテレビジョン受像機などの表示装置では，該表示装置に関する映像や音量などの複数の設定項目を表示するメニュー画面とそれに対応した操作部のボタンを操作することによって，前記映像や音量の調節などの各種設定値を変更することができる。
【特許文献１】特開平８−１６３４５６号公報
【発明の開示】
【発明が解決しようとする課題】
【０００３】
前記従来の表示装置では，例えばリモコンに設けられた図２に示すような上ボタン１２ｂ−６，下ボタン１２ｂ−７で，図６に示すようなモニタ側のメニュー画面に表示された「明るさ」「映像」「黒レベル」といった複数の設定項目から特定の設定項目（例えば「明るさ」）の選択を行い，図２に示すような左ボタン１２ｂ−８，右ボタン１２ｂ−９で設定項目の設定値の変更ができるように操作部のボタンが割り当てられていた。この場合，前記左ボタン１２ｂ−８や前記右ボタン１２ｂ−９といったボタンの押下１回の操作に対して，既定の値（例えば１）ずつしか設定値を変更できない，すなわち，設定項目の設定値を変更させる度合いが予め定められており，変更することができなかった。
一方，ボタンが押されている時間に応じて設定値が変更され，ボタンを押してから所定時間が経過すると設定値を変更させる度合いが大きくなる所謂長押しの機能が備えられた表示装置がある。しかしながら，この長押しの機能を利用すると，希望する値ちょうどでボタンの押下をやめたつもりでも，押下をやめるタイミングが難しいため，希望する値からずれてしまうことが多々ある。そのため，長押しの機能を使わなかった場合と比べて，ボタンを押す回数は少なくても，結果的に，設定値を変更するための時間がかかることが多い。
ここで，例えば，メニュー画面が表示された後，映像設定の明るさ（−１６から＋１６までの範囲で変更可能）の設定値を「０」から「１２」に変更する場合どれぐらいの操作手数を要するか考えてみる。図６に示すように，メニュー画面が表示されたとき，左端に位置している「映像設定」にカーソルがあるので，「映像設定」の下位階層の設定項目「明るさ」「映像」「黒レベル」などが表示されている。下ボタンを１回押し，設定項目「明るさ」を選択する（操作手数１）。次に，明るさを「０」から「１２」に変更するのであるが，１ずつしか移動できないので，右ボタンを１２回押す（操作手数１２）。操作手数は合計１３である。このように，「明るさ」などの設定項目の設定値を大幅に変更する場合には，操作手数が多くなり，利用者にとって手間がかかるという問題があった。
本発明では，設定値を変更させる度合い及び設定値を変更する調整用画面を設け，１つの画面の中で設定値を変更させる度合いと設定値の両方を上下左右ボタンだけで変更することができるようにすることで，設定の変更に要する操作手数が少ない表示装置を提供することが可能になる。
【課題を解決するための手段】
【０００４】
上述のように従来の表示装置では，当該表示装置の設定に関する設定項目の設定値を，当該表示装置を操作する操作入力手段を通じた操作入力に応じて変更することができる。
しかしながら，前記設定値を大きく変更する場合には，操作手数が多くなり，利用者にとって手間がかかるという問題があった。
この問題を解決するためには，設定値を大きく変更する場合の操作手数を少なくしなければならない。
そのためには，設定値を変更させる度合いを変更可能とし，設定値変更度合いに応じて設定値を変更することが効果的である。
この点，本発明では，前記操作入力手段が備える所定の第１の操作部（例えば上下ボタン）に対する操作入力に応じて，前記設定項目の設定値を変更させる度合いを演算し表示する設定値変更度合い表示手段が設けられ，前記操作入力手段が備える所定の第２の操作部（例えば左右ボタン）に対する操作入力が検知されるごとに，前記設定値変更度合い表示手段により表示された前記変更度合いに応じて前記設定項目の設定値が修正される。
修正された設定値（仮設定値）は仮設定値表示手段により表示される。ここでは，表示された値が修正されただけであり，実際に設定値が変更されたわけではない。
また，設定値を変更する画面と別の画面で設定値変更度合いを変更すると，操作手数が増えるので，設定値を変更させる度合い及び設定値を１つの画面で同時に表示し，変更することが最も効果的である。
そのため，本発明では，前記設定値変更度合い表示手段により表示される設定値の変更度合いと，前記仮設定値表示手段により表示される修正された設定値の両方を同時に１つの画面に表示させる集中表示手段を設けるようにしている。
そして，設定値更新手段を設けることによって，設定値が，前記集中表示手段により表示された設定値（仮設定値）に変更される。
また，前記第１の操作部及び前記第２の操作部のうち，一方がカーソルを左右方向に移動させるための操作部であり，他方がカーソルを上下方向に移動させるための操作部であって，前記設定値変更度合い表示手段が，前記第１の操作部によるカーソル移動方向に対応する方向に伸びるバーグラフによって，前記変更度合いを表す情報を前記表示部に表示させ，前記仮設定値表示手段が，前記第２の操作部によるカーソル移動方向に対応する方向に伸びるバーグラフによって，前記仮設定値を表す情報を前記表示部に表示させることが好ましい。
このように，操作部によるカーソル移動方向に対応する方向に伸びるバーグラフで設定値の範囲を示し，カーソル移動により設定値変更度合い及び設定値の変更を表示することによって，設定値変更度合い及び設定値の変更状況が，利用者にとって視覚的にわかりやすい。
また，複数の前記設定項目を前記表示部に一覧表示させる設定項目一覧表示手段と，前記操作入力手段を通じた操作入力に応じて，前記設定項目一覧表示手段により前記表示部に一覧表示された複数の前記設定項目の中から１つの特定設定項目を選択する設定項目選択手段と，前記表示部が前記集中表示手段によって前記特定設定項目に関する情報のみが表示される状態となる特定項目設定画面へ移行させる特定項目設定画面移行制御手段と，を具備することが考えられる。
このように，前記設定項目選択手段により選択された特定項目に関する情報のみが表示され，予め定められた操作部のボタンのみで特定項目に関する設定値変更度合い及び設定値を変更することができるので，利用者にとって操作が簡単で，誤って他の設定項目に関する設定値変更度合いや設定値を変更してしまうおそれがなくなる。
さらに，前記設定項目一覧表示手段が，複数の前記設定項目を各々異なる番号とともに前記表示部に一覧表示させ，前記設定項目選択手段が，前記操作入力手段が備える番号入力部に対して操作された番号に対応する前記設定項目を前記特定設定項目として選択することが考えられる。
このように，番号入力部に対して操作された番号に対応する前記設定項目を前記特定設定項目として選択することができれば，番号入力部のボタンを押すだけで，すなわち操作手数１で特定項目設定画面を表示することができるので，上下ボタンで１つずつカーソルを移動させて設定項目を特定設定項目として選択する場合と比べて，特定項目設定画面を表示するまでの操作手数を減らすことができる。
【発明の効果】
【０００５】
本発明によれば，設定項目の設定値の変更に要する操作手数が少ない表示装置を提供することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る表示装置Ｘのブロック図，図２は本発明の実施の形態に係る表示装置Ｘのリモコン１２ｂを示す模式図，図３は本発明の実施の形態に係る表示装置ＸのメニューＭを示す模式図，図４は本発明の実施の形態に係る表示装置Ｘの調整用画面Ｃを示す模式図，図５は本発明の実施の形態に係る表示装置Ｘの制御部１０の設定値変更処理の手順についてその一例を説明するためのフローチャート，図６は従来の表示装置のメニュー画面を示す模式図である。
まず，図１のブロック図を用いて，本発明の実施の形態に係る表示装置Ｘの概略構成について説明する。
前記表示装置Ｘは，映像を表示する液晶モニタなどの表示部１１と，操作入力手段の一例であるテンキー，上下キー，左右キーなどを備えた操作部１２と，記憶部１３と，リモートコントローラ１２ｂ（以下リモコン１２ｂと略す）からの信号を受信する受光部１４と，前記受光部１４によって受信された信号を複号するデコーダ１５と，当該表示装置Ｘが受信する信号を切り替える入力切替部１６と，前記入力切替部１６により切り替えられた映像について，後記の制御部１０の指示により明るさなどの各種設定を行う映像処理部１７と，前記映像処理部１７により処理された映像に後記の制御部１０により指示された映像を重ねて出力する映像出力部１８と，前記入力切替部１６により切り替えられた音声に後記の制御部１０の指示により高低などの各種設定を行う音声処理部１９と，前記音声処理部１９により処理された音声を出力する音声アンプ２０と，これらを統括的に制御する制御部１０とを備えて構成されている。
【０００７】
前記操作部１２には，前記表示装置Ｘ本体に備えられた本体操作部１２ａと，前記表示装置Ｘ本体を遠隔で操作するリモコン１２ｂとが含まれている。
前記本体操作部１２ａには，前記表示装置Ｘの電源を入り切りする電源ボタンなどが備えられている。
前記リモコン１２ｂには，図２に示すように，前記表示装置Ｘの電源を入り切りする電源ボタン１２ｂ−１と，メニューボタン１２ｂ−２と，入力切替ボタン１２ｂ−３と，番号を入力するためのボタンであるテンキー１２ｂ−４と，戻るボタンが押下される前に実行された処理を実行される前の状態にするボタンである戻るボタン１２ｂ−５と，前記表示部１１に表示されたカーソルを上に移動させるボタンである上ボタン１２ｂ−６と，同様に下に移動させるボタンである下ボタン１２ｂ−７と，同様に左に移動させるボタンである左ボタン１２ｂ−８と，同様に右に移動させるボタンである右ボタン１２ｂ−９と，表示された情報を決定するためのボタンであるエンターキー１２ｂ−１０とが備えられている。
前記メニューボタン１２ｂ−２は，前記表示装置Ｘの設定に関する明るさなどの設定項目が一覧表示されたメニューＭ（図３参照）を前記表示部１１に表示するためのボタンである。
前記入力切替ボタン１２ｂ−３は，前記表示装置Ｘが受信した映像と前記表示装置Ｘに備えられた外部入力端子により入力された映像の表示の切替を行うためのボタンである。
【０００８】
前記記憶部１３は，受信した映像を一時的に記憶するハードディスクやメモリなどである。また，前記記憶部１３には，前記リモコン１２ｂの前記メニューボタン１２ｂ−２が押下されることにより前記メニューＭを前記表示部１１に表示するプログラムなどが記憶されている。さらに，前記記憶部１３には，前記リモコン１２ｂの前記メニューボタン１２ｂ−２が押下されることにより表示される前記メニューＭや後記の調整用画面Ｃといったコンテンツなどを含むソフトウエアや，前記表示装置Ｘの設定に関する設定項目の設定値などのデータも記憶されている。
【０００９】
さて，既に述べたとおり，前記表示装置Ｘの設定に関する設定項目（明るさ，音量など）の設定値を変更する際，特に，設定値を大きく変更する場合は操作手数が多くなり，利用者にとって手間がかかるという問題があった。
そのため，前記表示装置Ｘの設定に関する設定項目の設定値を変更する操作手数を減らすために，本実施形態では，次に述べるように，設定値を変更させる度合いを変更する機能を設け，設定値を変更させる度合いの設定と設定値を変更できるような画面を新たに設けるのである。
【００１０】
次に，図５のフローチャートを用いて，本発明の実施の形態に係る表示装置Ｘの制御部１０により実行される設定値変更処理の手順についてその一例を説明する。
ここでは，例として，前記表示装置Ｘの設定に関する設定項目「明るさ」の設定値を「０」から「１２」に変更する手順を説明する。
なお，図中のＳ１０，Ｓ２０…は処理手順（ステップ）番号を示し，処理はステップＳ１０より開始される。
ステップＳ１０は，前記制御部１０により，前記リモコン１２ｂに備えられているメニューボタン１２ｂ−２が押下されるのを待つための手順である。利用者によって，前記メニューボタン１２ｂ−２が押下されると，前記制御部１０により，前記メニューボタン１２ｂ−２が押下されたと判定され（ステップＳ１０のＹｅｓ側），処理はステップＳ２０に移行される。
【００１１】
ステップＳ２０では，前記制御部１０により，前記記憶部１３に記憶されている前記メニューＭが読み出される。前記映像出力部１８は，前記映像処理部１７によって前記入力切替部１６により切り替えられた映像に，前記記憶部１３に記憶されている設定値に基づいて各種設定を行い，その映像に，前記制御部１０により読み出された前記メニューＭを重ねて前記表示部１１に表示する。前記表示部１１には，図３（ａ）に示すように，前記メニューＭが最前面に表示された画面が表示される。
前記メニューＭは，図３（ａ）に示すように，「映像調整」「音声設定」「省エネ設定」などの上位階層Ｋ１及び，上位階層で選択された項目（ここでは，「映像調整」）の設定項目Ｋ２と，該設定項目Ｋ２それぞれに付された番号Ｋ１０と，設定値Ｋ３と，設定値変更度合いＫ４と，前記設定項目Ｋ２の設定値Ｋ３の範囲の下限Ｋ５と，前記設定項目Ｋ２の設定値Ｋ３が設定範囲でどれぐらいに位置するかを視覚的に表現するための設定値表示用カーソルＫ６と，前記設定項目Ｋ２の設定値Ｋ３の範囲の上限Ｋ７とで構成される下位階層がある。前記設定項目Ｋ２は複数あり，前記メニューＭでは，一覧表示されている。
前記記憶部１３に記憶されたメニューＭを前記記憶部１３から読み出し，前記映像出力部１８を制御して前記表示部１１に複数の設定項目を一覧表示させる処理を制御部１０に実行させるのが，設定項目一覧表示手段の一例である。
一例として，全ての設定値の初期値は「０」，設定値変更度合いの初期値は「１」とする。
【００１２】
前記メニューＭが表示されると，次に，ステップＳ３０では，前記制御部１０が前記リモコン１２ｂからの信号に基づいて，前記リモコン１２ｂに備えられている戻るボタン１２ｂ−５以外のボタンが押下されたか否かを判定する。利用者によって，前記戻るボタン１２ｂ−５以外のボタンが押下されると，前記制御部１０により，前記戻るボタン１２ｂ−５以外のボタンが押下されたと判定され（ステップＳ３０のＹｅｓ側），処理はステップＳ４０に移行される。利用者によって，前記戻るボタン１２ｂ−５が押下されると，前記制御部１０により，前記戻るボタン１２ｂ−５以外のボタンが押下されていないと判定され（ステップＳ３０のＮｏ側），前記メニューボタン１２ｂ−２押下前の状態まで戻り，処理は終了する。
【００１３】
ステップＳ４０では，前記上位階層Ｋ１の変更に伴う処理が実行される。前記上位階層Ｋ１の項目は，利用者により前記リモコン１２ｂの左ボタン１２ｂ−８や右ボタン１２ｂ−９が押下された場合に，前記制御部１０が前記リモコン１２ｂからの信号に応じて，上位階層Ｋ１の項目を囲むカーソルＫ８（図３（ａ）参照）を移動させることにより，選択することができる。これに伴って，前記カーソルＫ８で囲まれた（選択された）項目の詳細が，下位階層として表示される。前記カーソルＫ８で囲まれていない（選択されていない）項目の詳細は表示されない。
前記メニューボタン１２ｂ−２が押下された直後には，上位階層Ｋ１で最も左に位置する「映像調整」が選択された状態が表示される。
上述のようにして前記制御部１０が前記リモコン１２ｂからの信号に基づいて，前記上位階層Ｋ１の項目のカーソルＫ８が左右に移動され，前記カーソルＫ８で囲まれた項目（選択された項目）に応じて下位階層が表示され，処理はステップＳ５０に移行される。このようにして，利用者は，前記メニューＭの上位階層Ｋ１から，設定値Ｋ３を変更したい項目Ｋ２（ここでは，「映像調整」）を選択する。
【００１４】
ステップＳ５０は，利用者が前記リモコン１２ｂに備えられている上ボタン１２ｂ−６や下ボタン１２ｂ−７を押した場合の処理である。前記制御部１０によっていずれかのボタンが押されたと判定されると（ステップＳ５０のＹｅｓ側），処理はステップＳ６０に移行される。利用者によって，前記上ボタン１２ｂ−６及び下ボタン１２ｂ−７以外のボタンが押下されると，前記制御部１０により（ステップＳ５０のＮｏ側），処理はステップＳ６１に移行される。
【００１５】
ステップＳ６０では，利用者により前記リモコン１２ｂの下ボタン１２ｂ−７が１回押下されることにより，前記上位階層Ｋ１で選択されていた項目（ここでは「映像調整」）が選択決定され，下位階層の設定項目Ｋ２にカーソルＫ９が移動する（図３（ｂ）参照）。そして，利用者による前記リモコン１２ｂの前記上ボタン１２ｂ−６又は前記下ボタン１２ｂ−７の操作入力に応じて，前記カーソルＫ９が下位階層の設定項目Ｋ２において上又は下に移動する。このようにして，利用者は，前記上位階層Ｋ１で選択した項目について，下位階層の複数の詳細な設定項目Ｋ２から特定の設定項目（ここでは，「明るさ」）を選択する。
【００１６】
ステップＳ７０では，前記制御部１０が前記リモコン１２ｂからの信号に基づいて，いずれかの設定項目Ｋ２が選択された状態（所定の設定項目Ｋ２に前記カーソルＫ９がある状態）で前記エンターキー１２ｂ−１０が押下されたか否かを判定する。利用者によって，前記リモコン１２ｂに備えられているエンターキー１２ｂ−１０が押下されると，前記制御部１０により，前記エンターキー１２ｂ−１０が押下されたと判定され（ステップＳ７０のＹｅｓ側），処理はステップＳ８０に移行される。利用者によって，前記エンターキー１２ｂ−１０以外のボタンが押下されると，前記制御部１０により，前記エンターキー１２ｂ−１０が押下されていないと判定され（ステップＳ７０のＮｏ側），処理はステップＳ８１に移行される。
【００１７】
ステップＳ６１では，前記制御部１０が前記リモコン１２ｂからの信号に基づいて，前記リモコン１２ｂに備えられているテンキー１２ｂ−４が押下されたか否かを判定する。利用者によって，前記テンキー１２ｂ−４が押下されると，前記制御部１０により，前記テンキー１２ｂ−４が押下されたと判定され（ステップＳ６１のＹｅｓ側），処理はステップＳ８０に移行される。
このようにして，利用者は，前記メニューＭの上位階層Ｋ１から，前記設定値Ｋ３を変更したい項目（ここでは，「映像調整」）を選択し，さらに，下位階層の複数の詳細な設定項目Ｋ２に付された番号Ｋ１０（図３（ａ）参照）から特定の設定項目に付された番号（ここでは，「１」）と同じ番号の前記テンキー１２ｂ−４を押下することにより，特定の設定項目を選択することができる。例えば，前記テンキー１２ｂ−４の「１」が押下されると「１」の番号が付された詳細な設定項目Ｋ２の「明るさ」が，前記テンキー１２ｂ−４の「２」が押下されると「２」の番号が付された詳細な設定項目Ｋ２の「映像」が，選択される。
利用者によって，前記テンキー１２ｂ−４以外のボタンが押下されると，前記制御部１０により，前記テンキー１２ｂ−４が押下されていないと判定され（ステップＳ６１のＮｏ側），処理はステップＳ３０に戻る。
ここで，前記上ボタン１２ｂ−６又は前記下ボタン１２ｂ−７又は前記テンキー１２ｂ−４を通じた操作入力に応じて，前記表示部１１に表示された前記メニューＭの複数の設定項目Ｋ２の中から１つの特定設定項目を選択する制御部１０の処理を実行する手段が，設定項目選択手段の一例である。
【００１８】
ステップＳ８０では，前記制御部１０により，前記ステップＳ６１で前記テンキー１２ｂ−４が押下されることにより選択決定された設定項目，或いは，前記ステップＳ７０で前記エンターキー１２ｂ−１０が押下されることにより選択決定された設定項目（ここでは「明るさ」）の調整用画面Ｃ（図４参照）が，前記記憶部１３から読み出される。前記映像出力部１８は，現在表示されている映像に前記制御部１０により読み出された調整用画面Ｃを重ねて前記表示部１１に表示する。前記調整用画面Ｃが表示されると，前記メニューＭは操作不可能となり，前記調整用画面Ｃのみが操作可能となるよう制御されている。
前記調整用画面Ｃは，図４（ａ）に示すように，前記メニューＭの上位階層Ｋ１で選択された項目Ｋ１８（ここでは「映像調整」）と，前記メニューＭの下位階層で選択された設定項目である特定設定項目Ｋ１２（ここでは「明るさ」）と，設定値Ｋ１３と，設定値変更度合いＫ１４と，前記設定値変更度合いＫ１４の範囲の下限Ｋ２１と，前記設定値変更度合いＫ１４が設定範囲でどれぐらいに位置するかを視覚的に表現するための設定値変更度合い表示用カーソルＫ２２と，前記設定値変更度合いＫ１４の範囲の上限Ｋ２３と，前記設定値Ｋ１３の範囲の下限Ｋ１５と，前記設定値Ｋ１３が設定範囲でどれぐらいに位置するかを視覚的に表現するための設定値表示用カーソルＫ１６と，前記設定値Ｋ１３の範囲の上限Ｋ１７とで構成されている。
このように，前記制御部１０により前記表示部１１に表示される設定値変更度合いＫ１４と修正された設定値Ｋ１３の両方を同時に１つの画面に表示させる制御部１０の処理を実行する手段が，集中表示手段の一例に相当する。
既に述べたとおり，前記調整用画面Ｃが表示されると，前記調整用画面Ｃだけが操作可能となり，前記特定設定項目に関する限られた情報のみが表示されるので，前記調整用画面Ｃ内の操作対象をさらに選択する必要がなく，前記リモコン１２ｂに備えられた上ボタン１２ｂ−６又は下ボタン１２ｂ−７の押下は設定値変更度合いＫ１４の変更に，前記左ボタン１２ｂ−８又は前記右ボタン１２ｂ−９の押下は設定値Ｋ１３の変更にそれぞれ対応している。
このように，選択された特定設定項目Ｋ１２に関する限られた情報のみが表示され，前記上ボタン１２ｂ−６，前記下ボタン１２ｂ−７，前記左ボタン１２ｂ−８，前記右ボタン１２ｂ−９，前記エンターボタン１２ｂ−１０の限られたボタンだけで前記特定設定項目Ｋ１２に関する設定値変更度合いＫ１４及び設定値Ｋ１３を変更することができるので，利用者にとって操作が簡単で，誤って他の設定項目に関する設定値変更度合いや設定値を変更してしまうおそれがなくなる。
また，１つの画面内で（画面を切りかえることなく）設定値変更度合いＫ１４と設定値Ｋ１３を一挙に変更することができるので，操作手数の減少になる。
ここで，前記リモコン１２ｂに備えられた上ボタン１２ｂ−６又は下ボタン１２ｂ−７に対する操作入力に応じて，前記設定項目Ｋ１２の設定値Ｋ１３を変更させる変更度合いＫ１４を演算し，前記映像出力部１８を制御して前記表示部１１に表示させる制御部１０の処理を実行する手段が，設定値変更度合い表示手段の一例である。
また，前記リモコン１２ｂに備えられた左ボタン１２ｂ−８又は右ボタン１２ｂ−９に対する操作入力が検知されるごとに，前記制御部１０が前記映像出力部１８を制御することにより前記表示部１１に表示された設定値変更度合いＫ１４に応じて前記設定項目Ｋ１２の設定値Ｋ１３を修正し，修正された設定値Ｋ１３を，前記映像出力部１８を制御して前記表示部１１に表示させる制御部１０の処理を実行する手段が，仮設定値表示手段の一例である。
前記エンターキー１２ｂ−１０又は前記テンキー１２ｂ−４を制御することにより，前記映像出力部１８を制御して前記表示部１１に前記特定設定項目Ｋ１２に関する情報である前記調整用画面Ｃを表示させる制御部１０による処理を実行する手段が，特定項目設定画面移行制御手段の一例である。
【００１９】
ステップＳ９０では，前記制御部１０が前記リモコン１２ｂからの信号に基づいて，前記上ボタン１２ｂ−６又は前記下ボタン１２ｂ−７が押下されたか否かを判定する。利用者によって，いずれかのボタンが押下されると，前記制御部１０により，前記上ボタン１２ｂ−６又は前記下ボタン１２ｂ−７が押下されたと判定され（ステップＳ９０のＹｅｓ側），処理はステップＳ１００に移行される。利用者によって，前記上ボタン１２ｂ−６及び前記下ボタン１２ｂ−７以外のボタンが押下されると，前記制御部１０により，前記上ボタン１２ｂ−６及び前記下ボタン１２ｂ−７以外のボタンが押下されたと判定され（ステップＳ９０のＮｏ側），処理はステップＳ１１０に移行される。
【００２０】
ステップＳ１００では，前記ステップＳ９０で利用者により前記上ボタン１２ｂ−６又は前記下ボタン１２ｂ−７が押下されたことを受けて，図４（ｂ）に示すように，前記調整用画面Ｃにおいて，前記設定値変更度合い表示用カーソルＫ２２が上下方向にのびるバーグラフＫ２４内を上又は下に移動して表示されるとともに，前記設定値変更度合いＫ１４が，前記上ボタン１２ｂ−６又は前記下ボタン１２ｂ−７が押下された分だけ修正される。
ここでは，前記設定値変更度合い表示用カーソルＫ２２が「４」の位置まで移動され，前記設定値変更度合いＫ１４が，「１」から「４」に変更される。
【００２１】
ステップＳ１１０では，前記制御部１０が前記リモコン１２ｂからの信号に基づいて，前記左ボタン１２ｂ−８又は前記右ボタン１２ｂ−９が押下されたか否かを判定する。利用者によって，いずれかのボタンが押下されると，前記制御部１０により，前記左ボタン１２ｂ−８又は前記右ボタン１２ｂ−９が押下されたと判定され（ステップＳ１１０のＹｅｓ側），処理はステップＳ１２０に移行される。利用者によって，前記左ボタン１２ｂ−８及び前記右ボタン１２ｂ−９以外のボタンが押下されると，前記制御部１０により，前記左ボタン１２ｂ−８及び前記右ボタン１２ｂ−９以外のボタンが押下されたと判定され（ステップＳ１１０のＮｏ側），処理はステップＳ１３０に移行される。
【００２２】
ステップＳ１２０では，前記ステップＳ１１０で利用者により前記左ボタン１２ｂ−８又は前記右ボタン１２ｂ−９が押下されたことを受けて，図４（ｃ）に示すように，前記調整用画面Ｃにおいて，前記設定値表示用カーソルＫ１６が左右方向にのびるバーグラフＫ２５内を前記Ｋ１４に表示されている前記設定変更度合いに応じて飛び飛びに左又は右に移動して表示されるとともに，前記設定値Ｋ１３が，前記左ボタン１２ｂ−８又は前記右ボタン１２ｂ−９が押下された分だけ修正される。
このように，前記操作部１２による前記設定値表示用カーソルＫ１６の移動方向に対応する方向に伸びるバーグラフＫ２５で設定値Ｋ１３の範囲が示され，前記設定値変更度合い表示用カーソルＫ２２や前記設定値表示用カーソルＫ１６の移動により設定値変更度合いＫ１４及び設定値Ｋ１３の変更が視覚的に表示されることによって，設定値変更度合いＫ１４及び設定値Ｋ１３の変更状況が，利用者にとって視覚的にわかりやすい。
なお，このステップＳ１２０で行なわれる前記設定値の「修正」とは，前記表示部１１により表示される情報のみの変更であり，後記のステップＳ１３０でエンターキーが押下されたことを受けて初めてステップＳ１４０で確定される。詳細は後述する。
【００２３】
例えば，前記ステップＳ１００において前記設定値変更度合いＫ１４が「４」に変更された場合，前記左ボタン１２ｂ−８又は前記右ボタン１２ｂ−９が１回押下されるたびに，「４」ずつ飛び飛びに変更される。すなわち，前記右ボタン１２ｂ−９が１回押下されると，図４（ｃ）に示すように，前記設定値表示用カーソルＫ１６が「０」から「４」の位置まで移動され，前記設定値Ｋ１３が，「０」から「４」に変更される。ここでは，前記右ボタン１２ｂ−９が更に２回押下され，図４（ｄ）に示すように，前記設定値表示用カーソルＫ１６が「１２」の位置まで移動され，前記設定値Ｋ１３が，「１２」に変更される。
【００２４】
ステップＳ１３０では，前記制御部１０が前記リモコン１２ｂからの信号に基づいて，前記リモコン１２ｂに備えられているエンターキー１２ｂ−１０が押下されたか否かを判定する。利用者によって，前記エンターキー１２ｂ−１０が押下されると，前記制御部１０により，前記エンターキー１２ｂ−１０が押下されたと判定され（ステップＳ１３０のＹｅｓ側），処理はステップＳ１４０に移行される。利用者によって，前記エンターキー１２ｂ−１０以外のボタンが押下されると，前記制御部１０により，前記エンターキー１２ｂ−１０が押下されていないと判定され（ステップＳ１３０のＮｏ側），処理はステップＳ９０に戻る。
【００２５】
続いてステップＳ１４０では，前記記憶部１３に記憶されていた前記特定設定項目（ここでは「明るさ」）の設定値変更度合い（例えば「１」）が消去され，前記特定設定項目（ここでは「明るさ」）の前記ステップＳ１００で修正された設定値変更度合い（例えば「４」）が記憶される。さらに，前記記憶部１３に記憶されていた前記特定設定項目（ここでは「明るさ」）の設定値（例えば「０」）が消去され，前記特定設定項目（ここでは「明るさ」）の前記ステップＳ１２０で修正された設定値（例えば「１２」）が設定値として記憶される。
このように，ステップＳ１００やステップＳ１２０では，設定値変更度合いや設定値は表示部１１により表示される情報のみ変更され，設定値は，ステップＳ１３０で前記エンターキー１２ｂ−１０が押下されることによって更新，確定される（記憶部１３に記憶される）。ここで前記記憶部１３に新たに記憶された設定値は，次に前記映像処理部１７により映像が処理される際に使用される。
そして，前記制御部１０によって前記映像出力部１８から出力され前記表示部１１に表示されていた前記調整用画面Ｃの表示が停止され，処理はステップＳ２０に戻る。
ここで，前記エンターキー１２ｂ−１０を制御することにより，前記記憶部１３に記憶された前記設定項目の設定値を，前記表示部１１に表示された設定値変更度合いに応じて修正された設定値に変更する制御部１０の処理を実行する手段が，設定値更新手段の一例である。
【００２６】
ここで，例えば，前記メニューＭが前記表示部１１に表示された後，「映像調整」の「明るさ」の設定値を「０」から「１２」に変更する場合どれぐらいの操作手数を要するか考えてみる。
まず，利用者により前記メニューボタン１２ｂ−２が押下されると，上位階層で最も左に位置する「映像調整」が選択された状態であるメニューＭが前記表示部１１に表示される。上位階層の項目を選択する必要がないので，ステップＳ４０では，操作手数は「０」である。
続いて，ステップＳ５０，Ｓ６０では，下位階層の設定項目「明るさ」を選択するために，前記下ボタン１２ｂ−７が１回押下されるので，操作手数は「１」である。
さらに，ステップＳ７０，Ｓ８０では，前記ステップＳ６０で選択された項目を決定するために，前記エンターキー１２ｂ−１０が１回押下されるので，合計操作手数は「２」になる。
続いて，ステップ９０，Ｓ１００では，設定値変更度合いを「１」から「４」に変更するために，前記上ボタン１２ｂ−６が３回押下されるので，操作手数「２」に「３」が加算されて，合計操作手数は「５」になる。
そして，ステップＳ１１０，Ｓ１２０では，設定値を「０」から「１２」に変更するのであるが，設定値変更度合いが「４」に変更されているので，前記右ボタン１２ｂ−９を３回押下すれば設定値は「１２」となる。従って，操作手数「５」に「３」が加算されて，合計操作手数は「８」となる。
次に，ステップＳ１３０，Ｓ１４０では，設定値変更度合い及び設定値を確定するために，前記エンターキー１２ｂ−１０が１回押下されるので，合計操作手数は「９」である。ここで，前記メニューＭが表示された状態に戻る。
つまり，本発明によれば，前記メニューＭが前記表示部１１に表示された後，「映像調整」の「明るさ」の設定値を「０」から「１２」に変更する場合の操作手数は，「９」である。
従来の表示装置では既に説明したとおり，同じように設定値を変更する場合の操作手数は「１３」であった。
従って，この一例からもわかるように，本発明のように，設定値を変更させる度合いを変更可能にすれば，設定値を大きく変更する場合，従来の表示装置のように１つずつカーソルを移動させて設定値を変更する場合と比べて，操作手数を減らすことができる。
【００２７】
一方，前記テンキー１２ｂ−４を利用して下位階層の設定項目を選択した場合の操作手数を考えてみる。
まず，利用者により前記メニューボタン１２ｂ−２が押下されると，上位階層で最も左に位置する「映像調整」が選択された状態であるメニューＭが前記表示部１１に表示される。上位階層の項目を選択する必要がないので，ステップＳ４０では，操作手数は「０」である。
続いて，ステップＳ６１では，下位階層の項目「明るさ」を選択するために，「明るさ」に付されている番号の前記テンキー１２ｂ−４が１回押下されるので，操作手数は「１」となる。
続いて，ステップ９０，Ｓ１００では，前記同様操作手数「３」が加算されて，合計操作手数は「４」になる。
そして，ステップＳ１１０，Ｓ１２０では，前記同様操作手数「３」が加算されて，合計操作手数は「７」となる。
次に，ステップＳ１３０，Ｓ１４０では，前記同様操作手数「１」が加算されて，合計操作手数は「８」である。ここで，前記メニューＭが表示された状態に戻る。
つまり，前記テンキー１２ｂ−４を利用して，前記メニューＭが前記表示部１１に表示された後，「映像調整」の「明るさ」の設定値を「０」から「１２」に変更する場合の操作手数は，「８」である。
このように，前記テンキー１２ｂ−４に対して操作された番号に対応する前記設定項目を前記特定設定項目として選択することができれば，前記テンキー１２ｂ−４を押すだけで，すなわち操作手数１で前記調整用画面Ｃを表示することができるので，前記上ボタン１２ｂ−６又は前記下ボタン１２ｂ−７で１つずつカーソルを移動させて設定項目を特定設定項目として選択する場合と比べて，前記調整用画面Ｃを表示するまでの操作手数を減らすことができる。
このようにして，従来の表示装置と比べて，設定項目の設定値の変更に要する操作手数が少ない表示装置を提供することができる。
【００２８】
一方，前記表示装置Ｘでは，前記設定項目の設定値は，前記調整用画面Ｃだけではなく，前記メニューＭにおいても変更することができる。以下にその方法を記す。
ステップＳ８１では，前記制御部１０が前記リモコン１２ｂからの信号に基づいて，前記リモコン１２ｂに備えられている左ボタン１２ｂ−８又は右ボタン１２ｂ−９が押下されたか否かを判定する。利用者によって，いずれかのボタンが押下されると，前記制御部１０により，前記左ボタン１２ｂ−８又は前記右ボタン１２ｂ−９が押下されたと判定され（ステップＳ８１のＹｅｓ側），処理はステップＳ８２に移行される。利用者によって，前記左ボタン１２ｂ−８及び前記右ボタン１２ｂ−９以外のボタンが押下されると，前記制御部１０により，前記左ボタン１２ｂ−８又は前記右ボタン１２ｂ−９が押下されていないと判定され（ステップＳ８１のＮｏ側），処理はステップＳ８３に移行される。
ステップＳ８２では，図３（ｃ）に示すように，前記メニューＭにおいて，前記設定値表示用カーソルＫ６が左又は右に移動するとともに，前記設定値Ｋ３が，前記左ボタン１２ｂ−８又は前記右ボタン１２ｂ−９が押下された分だけ修正される。
【００２９】
ステップＳ８３では，前記制御部１０が前記リモコン１２ｂからの信号に基づいて，前記リモコン１２ｂに備えられている上ボタン１２ｂ−６又は下ボタン１２ｂ−７が押下されたか否かを判定する。利用者によって，いずれかのボタンが押下されると，前記制御部１０により，前記上ボタン１２ｂ−６又は前記下ボタン１２ｂ−７が押下されたと判定され（ステップＳ８３のＹｅｓ側），処理はステップＳ８４に移行される。利用者によって，前記上ボタン１２ｂ−６及び前記下ボタン１２ｂ−７以外のボタンが押下されると，前記制御部１０により，前記上ボタン１２ｂ−６又は前記下ボタン１２ｂ−７が押下されていないと判定され（ステップＳ８３のＮｏ側），処理はステップＳ８５に移行される。
ステップＳ８４では，利用者による前記リモコン１２ｂの操作入力に応じて，前記メニューＭの下位階層に位置していたカーソルＫ９（図３（ｃ）参照）が，上又は下に移動される。
【００３０】
ステップＳ８５では，前記制御部１０により，前記メニューＭにおいて，前記カーソルＫ９が下位階層にあるか否かが判定される。前記制御部１０により，前記メニューＭにおいて，前記カーソルＫ９が下位階層にあると判定されれば（ステップＳ８５のＹｅｓ側），処理はステップＳ８６に移行される。前記制御部１０により，前記メニューＭにおいて，前記カーソルＫ９が下位階層にないと判定されれば（ステップＳ８５のＮｏ側），処理はステップＳ４０に戻る。
ステップＳ８６では，前記制御部１０が前記リモコン１２ｂからの信号に基づいて，前記リモコン１２ｂに備えられている戻るボタン１２ｂ−５が押下されたか否かを判定する。利用者によって，前記戻るボタン１２ｂ−５が押下されると，前記制御部１０により，前記戻るボタン１２ｂ−５が押下されたと判定され（ステップＳ８６のＹｅｓ側），処理は終了する。利用者によって，前記戻るボタン１２ｂ−５以外のボタンが押下されると，前記制御部１０により，前記戻るボタン１２ｂ−５が押下されていないと判定され（ステップＳ８６のＮｏ側），処理はステップＳ８１に戻る。
【００３１】
このように，図３（ｃ）に示すように，前記メニューＭにおいて，下位階層にカーソルＫ９が位置しているとき，前記上ボタン１２ｂ−６又は前記下ボタン１２ｂ−７の操作に応じて，いずれかの設定項目を囲んでいるカーソルＫ９が上又は下に移動され，前記左ボタン１２ｂ−８又は前記右ボタン１２ｂ−９の操作に応じて，前記左ボタン１２ｂ−８又は前記右ボタン１２ｂ−９が操作されたときに前記カーソルＫ９に囲まれている設定項目の設定値表示用カーソルＫ６が移動されるとともに，設定値Ｋ３が変更される。
【００３２】
設定値を少しだけ変更する例として，例えば，前記メニューＭが前記表示部１１に表示された後，「映像調整」の「明るさ」の設定値を「０」から「２」に変更する場合どれぐらいの操作手数を要するか考えてみる。
まず，利用者により前記メニューボタン１２ｂ−２が押下されると，上位階層で最も左に位置する「映像調整」が選択された状態であるメニューＭが前記表示部１１に表示される。上位階層の項目を選択する必要がないので，ステップＳ４０では，操作手数は「０」である。
続いて，ステップＳ５０，Ｓ６０では，下位階層の項目「明るさ」を選択するために，前記下ボタン１２ｂ−７が１回押下されるので，操作手数は「１」である。
さらに，ステップＳ７０，Ｓ８０では，前記ステップＳ６０で選択された項目を決定するために，前記エンターキー１２ｂ−１０が１回押下されるので，合計操作手数は「２」になる。
続いて，ステップ９０，Ｓ１００では，設定値変更度合いを「１」から「２」に変更するために，前記上ボタン１２ｂ−６が１回押下されるので，操作手数「２」に「１」が加算されて，合計操作手数は「３」になる。
そして，ステップＳ１１０，Ｓ１２０では，設定値を「０」から「２」に変更するのであるが，設定値変更度合いが「２」に変更されているので，前記右ボタン１２ｂ−９を１回押下すれば設定値は「２」となる。従って，操作手数「３」に「１」が加算されて，合計操作手数は「４」となる。
次に，ステップＳ１３０，Ｓ１４０では，設定値変更度合い及び設定値を確定するために，前記エンターキー１２ｂ−１０が１回押下されるので，合計操作手数は「５」である。ここで，前記メニューＭが表示された状態に戻る。
一方，前記調整用画面Ｃを使わず前記メニューＭにおいて設定値を変更する方法での操作手数は以下の通りである。
まず，利用者により前記メニューボタン１２ｂ−２が押下されると，上位階層で最も左に位置する「映像調整」が選択された状態であるメニューＭが前記表示部１１に表示される。上位階層の項目を選択する必要がないので，ステップＳ４０では，操作手数は「０」である。
続いて，ステップＳ５０，Ｓ６０では，下位階層の項目「明るさ」を選択するために，前記下ボタン１２ｂ−７が１回押下されるので，操作手数は「１」である。
前記調整用画面Ｃを使用しないため設定値変更度合いを変更できないので，ステップＳ８１，Ｓ８２では，設定値を「０」から「２」に変更するために前記右ボタン１２ｂ−９が２回押下される。合計操作手数は，「１」に「２」が加算されて「３」である。
このように，設定値を少ししか変更しない場合は，前記調整用画面Ｃを使用して設定値変更度合いを変更する（上述の例では操作手数「５」）より，前記メニューＭで設定値を変更したほう（上述の例では操作手数「３」）が操作手数は少なくてすむ。
このように，前記調整用画面Ｃを使用して設定値を変更することもできるし，前記調整用画面Ｃを使用せずに前記メニューＭで設定値を変更することもできる。これにより，設定値の変更量にかかわらず，従来の表示装置よりも設定の変更に要する操作手数が少ない表示装置を提供することができる。従って，利用者による設定項目の設定値の変更の手間が軽減される。
【００３３】
なお，本実施の形態では，前記メニューボタン１２ｂ−２や前記上ボタン１２ｂ−６や前記エンターキーボタン１２ｂ−１０などの前記メニューＭや前記調整用画面Ｃの表示に関するボタンはすべて前記リモコン１２ｂに備えられている。このように，前記メニューＭや前記調整用画面Ｃの表示に関するボタンが前記リモコン１２ｂにだけ備えられていてもよいが，前記表示装置Ｘ本体に設けられた本体操作部１２ａにだけ備えられた構成，或いは前記リモコン１２ｂと前記本体操作部１２ａ両方に備えられた構成でも構わない。
【図面の簡単な説明】
【００３４】
【図１】本発明の実施の形態に係る表示装置Ｘのブロック図。
【図２】本発明の実施の形態に係る表示装置Ｘのリモコン１２ｂを示す模式図。
【図３】本発明の実施の形態に係る表示装置ＸのメニューＭを示す模式図。
【図４】本発明の実施の形態に係る表示装置Ｘの調整用画面Ｃを示す模式図。
【図５】本発明の実施の形態に係る表示装置Ｘの制御部１０の設定値変更処理の手順についてその一例を説明するためのフローチャート。
【図６】従来の表示装置のメニュー画面を示す模式図。
【符号の説明】
【００３５】
１０…制御部
１１…表示部
１２…操作部
１３…記憶部
１４…受光部
１５…デコーダ
１６…入力切替部
１７…映像処理部
１８…映像出力部
１９…音声処理部
２０…音声アンプ
【図１】
2007248577.tif 000003
【図２】
2007248577.tif 000004
【図３】
2007248577.tif 000005
【図４】
2007248577.tif 000006
【図５】
2007248577.tif 000007
【図６】
2007248577.tif 000008